(57)【特許請求の範囲】
【請求項１】
回動する紙幣搬送ベルトを介し紙幣挿入口から挿入された紙幣を紙幣搬送路に沿って搬送するようにした紙幣搬送装置の前記紙幣挿入口に挿入される紙幣搬送ベルト用のグリップ力回復シートであって、
前記紙幣と略同一形状に形成されたシート材本体と、該シート材本体の長手方向略中央に突設され、前記シート材本体が前記紙幣搬送路の所定位置に達した際、前記紙幣挿入口と係合して前記シート材本体の移動を阻止するストッパー部と、前記シート材本体表面の前記ストッパー部に対し一方側であって、前記紙幣搬送路を通過させた際に前記紙幣搬送ベルトと対向する位置に配設されたサンドペーパー部と、前記シート材本体表面の前記ストッパー部に対し他方側であって、前記紙幣搬送路を通過させた際に前記紙幣搬送ベルトと対向する位置に配設されたクリーニング部とを有し、前記一方側から前記紙幣搬送口に挿入した前記シート材本体が前記ストッパー部によって移動を停止した際に、回転する前記紙幣搬送ベルト表面と前記サンドペーパー部との摺接により、前記紙幣搬送ベルト表面を削って前記紙幣搬送ベルトのグリップ力を回復させ、前記他方側から前記紙幣搬送口に挿入した前記シート材本体が前記ストッパー部によって移動を停止した際に、回転する前記紙幣搬送ベルト表面と前記クリーニング部との摺接により、前記サンドペーパー部によって削った前記紙幣搬送ベルトの削り屑を吸着して前記紙幣搬送ベルト表面をクリーニングするようにした紙幣搬送ベルト用のグリップ力回復シートにおいて、
前記シート材本体は、連結手段を介し着脱自在に連結される第１のシートおよび第２のシートから構成され、前記第１のシートに前記サンドペーパー部を配設するとともに、前記第２のシートに前記クリーニング部を配設するようにしたことを特徴とする紙幣搬送ベルト用のグリップ力回復シート。
【請求項２】
前記ストッパー部は、前記第１のシートと前記第２のシートとを挟持する２枚の板状体から構成され、
前記連結手段は、前記板状体のうち一方の板状体に形成された凹部と、前記板状体のうち他方の板状体に形成され前記凹部に嵌着する突起と、前記第１のシートおよび前記第２のシートにそれぞれ形成され、前記突起を嵌挿する貫通孔とから構成され、
前記第１のシートに形成された前記貫通孔および前記第２のシートに形成された前記貫通孔を介して前記突起と前記凹部とを嵌着させる際、前記一方の板状体と前記他方の板状体は、前記第１のシートと前記第２のシートとを挟持して、前記第１のシートと前記第２のシートとを連結するようにしたことを特徴とする請求項（１）記載の紙幣搬送ベルト用のグリップ力回復シート。
【発明の詳細な説明】
【０００１】
【発明の属する技術分野】
この発明は、紙幣処理機内に配設された紙幣搬送装置に関し、特に紙幣搬送装置を構成する紙幣搬送ベルトのグリップ力を回復する紙幣搬送ベルト用のグリップ力回復シートの改良に関する。
【０００２】
【従来の技術】
一般に、自動販売機、両替機、カードリーダライタ等には、投入紙幣の真偽を判別して、真券を収容するとともに偽券を返却するようにした紙幣処理機が配設されており、またこの紙幣処理機内には、紙幣挿入口から挿入された紙幣を紙幣搬送路に沿って搬送する紙幣搬送装置が配設されている。
【０００３】
この紙幣搬送装置は、紙幣搬送路に沿って配設される無端の紙幣搬送ベルトと、該紙幣搬送ベルトを巻回する一対のプーリと、該一対のプーリを時計方向、または反時計方向に回転するモータからなる駆動手段とから構成され、また、このうち、紙幣搬送ベルトは、通常、摩擦係数の高いゴム製のベルトから構成されている。
この紙幣搬送装置では、駆動手段を駆動すると、紙幣搬送ベルトがプーリを介し時計方向または反時計方向へ回転するので、紙幣挿入口から挿入された紙幣は紙幣搬送ベルト表面に配置されるとともに、回転する紙幣搬送ベルトの表面と挿入紙幣との摩擦力、すなわち紙幣搬送ベルトのグリップ力によって、紙幣搬送路の下流または上流へ搬送される。
また、この紙幣搬送装置では、紙幣搬送ベルトはゴム製のベルトから構成されているから、紙幣搬送ベルトのグリップ力は強力で、そのため、挿入紙幣は確実に搬送される。
【０００４】
ところで、上述した紙幣搬送装置では、長期間の使用によって、紙幣搬送ベルト表面に埃等の汚れが付着してグリップ力が低下し、これにより紙幣が滑って搬送できない虞がある。また、紙幣搬送ベルトはゴム製のベルトから構成されているから、長期間の使用によって、ベルト表面を構成するゴムが硬化してグリップ力が低下し、これにより紙幣が滑って搬送できない虞がある。
【０００５】
このような虞を防止するため、従来では、本願出願人が出願した特願平１１−１２４３４８号公報に開示されているように、紙幣搬送ベルト用グリップ力回復シート（以下、単に「グリップ力回復シート」という。）を定期的に紙幣搬送装置の紙幣挿入口に挿入し、これにより、紙幣搬送ベルトのグリップ力を回復させるようにしている。
【０００６】
この従来のグリップ力回復シートは、特願平１１−１２４３４８号公報に開示されているグリップ力回復シートを示す図８のように、使用する紙幣と平面略同一形状に形成されたシート材本体４２と、シート材本体４２の長手方向略中央の両端４２ａ、４２ｂに突設されたストッパー部４３と、シート材本体４２の表面４２ｃであってストッパー部４３に対し一方側４２ｄに配設されたサンドペーパー部４４ａと、シート材本体４２の表面４２ｃであって、ストッパー部４３に対し他方側４２ｅに配設されたクリーニング部４５ａとから構成されている。
【０００７】
このうち、シート材本体４２は、ポリエステル繊維を主要構成要素とする可撓性の素材からなる２枚のシート部材４２ｆ、４２ｇ（図１０）を貼着した１枚のシートから構成されている。
また、このシート材本体４２には、図８のグリップ力回復シート４１の組立分解平面図で示す図９のように、一方側４２ｄに、対向する２本の切り込みからなる第１の切り込み部５２と、半円弧状の切り込みからなる第１の支持部５３とが、それぞれ２か所ずつ形成されており、また、他方向側４２ｅに、対向する２本の切り込みからなる第２の切り込み部５４と、半円弧状の切り込みからなる第１の支持部５５とが、それぞれ２か所ずつ形成されている。
【０００８】
一方、図８のサンドペーパー部４４ａは、図９のように、シート材本体４２に着脱自在なサンドペーパー４４から構成されている。このサンドペーパー部４４ａは、図９の矢印Ｃで示すように、サンドペーパー４４を２か所の第１の切り込み部５２に編み込むように嵌挿することにより、図８および図８のＢＢ概念断面図で示す図１０のようにシート材本体４２に装着され、またサンドペーパー４４がシート材本体４２に装着されると、サンドペーパー４４の一部がシート材本体４２の表面から露出し、これにより２か所のサンドペーパー部４４ａが形成される。また、このサンドペーパー４４は第１の支持部５３で支持され、サンドペーパー４４はシート材本体４２に確実に装着される。
【０００９】
また、図８のクリーニング部４５ａは、図９で示すように、シート材本体４２に着脱自在な不織紙４５から構成されている。このクリーニング部４５ａは、図９の矢印Ｄで示すように不織紙４５を２か所の第２の切り込み部５４に編み込むように嵌挿することにより、図８、１０で示すようにシート材本体４２に装着され、また不織紙４５がシート材本体４２に装着されると、不織紙４５の一部がシート材本体４２の表面から露出し、これにより２か所のクリーニング部４５ａが形成される。また、この不織紙４５は第２の支持部５５で支持され、不織紙４５はシート材本体４２に確実に装着される。
【００１０】
また、図８のストッパー部４３は、シート部材４２ｆ、４２ｇの長手方向略中央で挟持された板状体から構成されている。
【００１１】
この従来のグリップ力回復シート４１では、紙幣搬送装置の下シュートの平面図を示す図１１のように、紙幣搬送装置１０の紙幣搬送口２７に、一方側４２ｄから挿入したシート材本体４２がストッパー部４３によって移動を停止した際には、回転する紙幣搬送ベルト表面２１ａとサンドペーパー部４４ａとの摺接によって、紙幣搬送ベルト表面２１ａを削り、これにより紙幣搬送ベルト表面２１ａに付着した埃等の汚れを除去して、紙幣搬送ベルト２１のグリップ力を回復させる。
【００１２】
また、紙幣搬送ベルト表面２１ａの硬化したゴムが削られると、紙幣搬送ベルト表面２１ａには硬化したゴムに比し摩擦係数が高い、柔らかな新しいゴムが露出するので、ゴム硬化によって低下した紙幣搬送ベルト２１のグリップ力も回復する。
また、この従来のグリップ力回復シート４１では、他方側４２ｅから紙幣搬送口２７に挿入したシート材本体４２がストッパー部４３によって移動を停止した際には、回転する紙幣搬送ベルト表面２１ａとクリーニング部４５ａとの摺接によって、紙幣搬送ベルト２１に付着した埃等の汚れや、サンドペーパー部４４ａによって削った紙幣搬送ベルト２１の削り屑を吸着し、その汚れや削り屑の付着により低下した紙幣搬送ベルト２１のグリップ力を回復させる。
【００１３】
また、この従来のグリップ力回復シート４１では、サンドペーパー部４４ａまたはクリーニング部４５ａは、上述のように、サンドペーパー４４または不織紙４５をそれぞれ第１の切り欠き部５２または第２の切り欠き部５４を介しシート材本体４２に着脱自在に装着することにより形成されるので、必要に応じてサンドペーパー４４または不織紙４５を着脱交換し、これにより、サンドペーパー部４４ａまたはクリーニング部４５ａを交換して、グリップ力回復シート４１を繰り返し使用するようにしている。
【００１４】
なお、この従来のグリップ力回復シート４１の構成、および紙幣搬送ベルト２１のグリップ力回復動作についての詳細は、特願平１１−１２４３４８号公報に開示されている。
【００１５】
【発明が解決しようとする課題】
ところで、従来の紙幣搬送ベルト用のグリップ力回復シート４１では、サンドペーパー部４４ａを構成する図９のサンドペーパー４４は、図１０で示すように第１の切り欠き部５２に編み込むように嵌挿することによりシート材本体４２に着脱自在に装着されるものであり、また、クリーニング部４５ａを構成する図９の不織紙４５は、図１０で示すように第２の切り欠き部５４に編み込むように嵌挿することによりシート材本体４２に着脱自在に装着されるものであるから、サンドペーパー４４や不織紙４５の着脱作業が煩雑で、これにより、サンドペーパー部４４ａやクリーニング部４５ａを交換する作業が煩雑である虞があった。
【００１６】
この発明は、上述した事情に鑑み、簡単な作業で繰り返し使用できる紙幣搬送ベルト用のグリップ力回復シートを提供することを目的とする。
【００１７】
【課題を解決するための手段】
上述した課題を解決するため、この発明の紙幣搬送ベルト用のグリップ力回復シートでは、回動する紙幣搬送ベルトを介し紙幣挿入口から挿入された紙幣を紙幣搬送路に沿って搬送するようにした紙幣搬送装置の前記紙幣挿入口に挿入される紙幣搬送ベルト用のグリップ力回復シートであって、前記紙幣と略同一形状に形成されたシート材本体と、該シート材本体の長手方向略中央に突設され、前記シート材本体が前記紙幣搬送路の所定位置に達した際、前記紙幣挿入口と係合して前記シート材本体の移動を阻止するストッパー部と、前記シート材本体表面の前記ストッパー部に対し一方側であって、前記紙幣搬送路を通過させた際に前記紙幣搬送ベルトと対向する位置に配設されたサンドペーパー部と、前記シート材本体表面の前記ストッパー部に対し他方側であって、前記紙幣搬送路を通過させた際に前記紙幣搬送ベルトと対向する位置に配設されたクリーニング部とを有し、前記一方側から前記紙幣搬送口に挿入した前記シート材本体が前記ストッパー部によって移動を停止した際に、回転する前記紙幣搬送ベルト表面と前記サンドペーパー部との摺接により、前記紙幣搬送ベルト表面を削って前記紙幣搬送ベルトのグリップ力を回復させ、前記他方側から前記紙幣搬送口に挿入した前記シート材本体が前記ストッパー部によって移動を停止した際に、回転する前記紙幣搬送ベルト表面と前記クリーニング部との摺接により、前記サンドペーパー部によって削った前記紙幣搬送ベルトの削り屑を吸着して前記紙幣搬送ベルト表面をクリーニングするようにした紙幣搬送ベルト用のグリップ力回復シートにおいて、前記シート材本体は連結手段を介し着脱自在に連結される第１のシートおよび第２のシートから構成され、前記第１のシートに前記サンドペーパー部を配設するとともに、前記第２のシートに前記クリーニング部を配設するようにしている。
【００１８】
【発明の実施の形態】
以下、この発明に係わる紙幣搬送ベルト用のグリップ力回復シート（以下、単にグリップ力回復シートという）について、詳述する。
図１は、この発明のグリップ力回復シート１を示す平面図である。
この発明のグリップ力回復シート１は、使用する紙幣と平面略同一形状に形成されたシート材本体２と、このシート本体２の長手方向略中央にシート材本体２の板厚方向に突設されたストッパー部３と、シート材本体２の表面２ｃであってストッパー部３に対し一方側２ｄに配設されたサンドペーパー部４ａと、シート材本体２の表面２ｃであって、ストッパー部３に対し他方側２ｅに配設されたクリーニング部５ａとから構成されている。
【００１９】
このうち、シート材本体２は、グリップ力回復シート１の組立分解平面図で示す図２のように、サンドペーパー部４ａが配設された第１のシート７１と、クリーニング部５ａが配設された第２のシート７２とから構成されている。
【００２０】
このうちの第１のシート７１は、グリップ力回復シートの概念組み立て分解断面図で示す図３のように、ポリエステル繊維を主要構成要素とする可撓性の素材からなる２枚のシート部材７１ａ、７１ｂを貼着して構成されており、このシート部材７１ａ、７１ｂのうち、表面２ｃを構成するシート部材７１ａには、図２で示すように、第１の孔６がシート材本体２の搬送方向と垂直方向に２か所形成されている。また、各第１の孔６からは、２枚のシート部材７１ａ、７１ｂで挟持されたサンドペーパー４が露出し、サンドペーパー部４ａを形成している。なお、この実施例では、サンドペーパー４に、＃５００程度のサンドペーパーを使用している。
また、サンドペーパー部４ａの互いに離間する間隔のピッチは、後述する紙幣搬送装置１０（図６）に配設された紙幣搬送ベルト２１の配設ピッチと同一ピッチに設定されている。
また、第１のシート７１には、図２、３で示すように、サンドペーパー部４ａと反対側に、複数の貫通孔８１が形成されている。
【００２１】
また、第２のシート７２は、図３で示すように、ポリエステル繊維を主要構成要素とする可撓性の素材からなる２枚のシート部材７２ａ、７２ｂを貼着して構成されている。このシート部材７２ａ、７２ｂのうち、表面２ｃを構成するシート部材７２ａには、図２で示すように、第２の孔７がシート材本体２の搬送方向と垂直方向に２か所形成されており、各第２の孔７からは、２枚のシート部材７２ａ、７２ｂで挟持された不織紙５が露出し、クリーニング部５ａを形成している。
また、クリーニング部５ａの互いに離間する間隔のピッチも、紙幣搬送ベルト２１（図６）の配設ピッチと同一ピッチに設定されている。
また、第２のシート７２には、図２、３で示すように、クリーニング部５ａの反対側に、複数の貫通孔８２が形成されている。
【００２２】
一方、図１のストッパー部３は、図２で示す第１の板状体７３と第２の板状体７４とから構成されている。この第１の板状体７３と、第２の板状体７４は、いずれも機械的強度の強い固い材質の板状体からなり、各板状体の長手方向はシート材本体２の幅と同一幅に形成されている。また、第１の板状体７３の下面には、図３で示すように、プラスチック製部材によって凹部８３が形成され、また、第２の板状体７４の上面には、上方に向けプラスチック製部材によって突起８４が形成されている。
【００２３】
なお、上述した凹部８３、貫通孔８１、貫通孔８２、突起８４は、第１のシート７１と第２のシート７２とを着脱自在に連結させる連結手段８０を構成している。
【００２４】
このように構成されるグリップ力回復シート１を組み立てるには、まず、図３で示す第２のシート７２の貫通孔８２を第２の板状体７４の突起８４に嵌挿させるとともに、第２のシート７２を第２の板状体７４の上に載置する。次に、この貫通孔８２を嵌挿した突起８４に、更に第１のシート７１の貫通孔８１を嵌挿させるとともに、第１のシート７１を第２のシート７２の上に載置する。そして、この貫通孔８１、８２を嵌挿した突起８４と第１の板状体７３の凹部８３とを位置決め合致するとともに第１の板状体７３を第１のシート７１の上に載置する。すると、突起８４と凹部８３とがスナップアクションにより容易に嵌着し、第１の板状体７３と第２の板状体７４は、図３と同一部分を同一符号で示す図４のように、第１のシート７１と第２のシート７２とを挟持し、第１のシート７１と第２のシート７２とを互いに連結するので、これにより、グリップ力回復シート１が組み立てられる。
【００２５】
なお、図４は、グリップ力回復シート１が組み立てられた様子を示す概念断面図であり、このグリップ力回復シート１が紙幣搬送装置１０（後述）の紙幣挿入口２７に停止している様子も併せて図示している。
【００２６】
このようにこのグリップ力回復シート１では、サンドペーパー部４ａが配設された第１のシート７１とクリーニング部５ａが配設された第２のシート７２とを連結手段８０によって連結させ、グリップ力回復シート１を組み立てるようにしているから、従来のようにサンドペーパー４４や不織紙４５をシート材本体４２に形成された第１の切り込み部５２または第２の切り込み部５４に編み込むように嵌挿して装着する場合（図８、１０）に比し、グリップ力回復シート１の組み立てを簡単にすることができる。
【００２７】
また、この実施例のグリップ力回復シート１のように、第１のシート７１と第２のシート７２とを着脱自在に連結する連結手段８０を、第１の板状体７３に形成された凹部８３、第１のシート７１に形成された貫通孔８１、第２のシート７２に形成された貫通孔８２、および第２の板状体７４に形成された突起８４とから構成すると、貫通孔８１、８２を嵌挿した突起８４に凹部８３を嵌着させるのみで、第１の板状体７３と第２の板状体７４が第１のシート７１と第２のシート７２を挟持し、第１のシート７１と第２のシート７２とが連結されるので、第１のシート７１と第２のシート７２の連結作業が簡単で、これにより、グリップ力回復シート７１の組み立てをさらに簡単にすることができる。
【００２８】
また、この実施例のグリップ力回復シート１では、連結手段８０を構成する凹部８３と突起８４を、それぞれ、ストッパー部３を構成する第１の板状体７３と第２の板状体７４に形成することとしたから、第１のシート７１と第２のシート７２とを連結してシート材本体２を形成する際、併せてストッパー部３を形成することができ、そのため、グリップ力回復シート７１の組み立てをさらに簡単にすることができる。
【００２９】
なお、上述した組み立て手順では、第２のシート７２の上に第１のシート７１を載置することとしたが、第１のシート７１の上に第２のシート７２を載置しても、グリップ力回復シート１を組み立てることができる。
【００３０】
次に、このように組み立てられたグリップ力回復シート１のグリップ力回復動作について説明する。
まず、このグリップ力回復シート１が使用される紙幣搬送装置１０について説明する。
図５は、紙幣搬送装置を示す要部概念断面図である。
この紙幣搬送装置１０は、所定の間隔を隔てて配設された上下シュート１１、１２とから構成され、その間には紙幣搬送路１３が形成されている。
【００３１】
また上下シュート１１、１２には、紙幣搬送路１３に案内された紙幣を搬送する紙幣搬送手段２０が配設されており、この紙幣搬送手段２０は、下シュート１２表面に配設される無端の紙幣搬送ベルト２１と、この紙幣搬送ベルト２１を巻回するプーリ２２、２３から構成されている。
【００３２】
このうち、紙幣搬送ベルト２１は、ゴム製のベルトから構成されており、下シュート１２の平面図で示す図６のように、紙幣搬送方向と垂直方向に、所定間隔を設け２か所配設されている。なお、図６では、図５と同一部分を同一符号で示しており、符号２１ａは、紙幣搬送ベルト２１の表面を示している。また、図６では、グリップ力回復シート１がグリップ力回復動作をしている様子も併せて図示しており、グリップ力回復シート１を一点鎖線で示している。
なお、図５で示す符号２４は、各搬送ベルト２１をガイドするアイドルプーリであって、このアイドルプーリ２４は紙幣搬送方向と垂直方向に２か所配設されている。また、各アイドルプーリ２４と対向する位置には、プレッシャーローラ２５が配設されている。また、プーリ２２、２３は、紙幣搬送方向と垂直方向に、それぞれ２か所ずつ配設されており、また、各プーリ２３と対向する位置にはプレッシャーローラ２６が配設されている。
また、上シュート１１の先端には、投入された紙幣の有無を検出する光センサーからなる入り口センサー３０が配設されている。なお、この入り口センサー３０も、紙幣搬送方向と垂直方向に２か所配設されている。
【００３３】
この紙幣搬送手段２０では、図示せぬモータ等の駆動手段を介してプーリ２２、２３の一方を駆動すると、紙幣搬送ベルト２１が時計方向、あるいは反時計方向へ向けて回転し、紙幣挿入口２７から挿入された紙幣を、回転する紙幣搬送ベルト２１の表面２１ａに配置するとともに、該紙幣搬送ベルト２１のグリップ力によって紙幣搬送路１３に沿って下流または上流に搬送する。
【００３４】
次に、グリップ力回復シート１の作用を図５、６、図７のフローチャートに基づいて説明する。
まず、グリップ力回復シート１のサンドペーパー部４ａによって、紙幣搬送ベルト２１のグリップ力を回復する手順について説明する。
【００３５】
グリップ力回復シート１のサンドペーパー部４ａによって、紙幣搬送ベルト２１のグリップ力を回復するには、図３で示すように、グリップ力回復シート１を、そのサントペーパー部４ａを上方へ向けた姿勢で一方側２ｄから、矢印Ａのように紙幣搬送路１３内に挿入する（図７のステップ１００）。
【００３６】
すると、グリップ力回復シート１の先端が図５の入り口センサー３０に検出される（図７のステップ１０１）。
【００３７】
この入り口センサー３０により紙幣の挿入が検出されると、その検出信号に基づき、図示せぬ搬送モータが正転始動して（図７のステップ１０２）、図５に示す紙幣搬送手段２０の搬送ベルト２１が時計方向へ回転する。
【００３８】
すると、グリップ力回復シート１は図５の紙幣搬送ベルト２１の表面２１ａに配置されるとともに、回転する紙幣搬送ベルト２１のグリップ力によって紙幣搬送路１３内に搬送される。
そして、搬送されるグリップ力回復シート１のサンドペーパー部４ａが、図４、６で示すように、紙幣搬送路１３の所定の位置に達すると、その際、ストッパー部３が紙幣挿入口２７と係合し、これにより、シート材本体２の紙幣搬送路１３下流への移動は阻止され、グリップ力回復シート１は、サンドペーパー部４ａが紙幣搬送路１３の前記所定の位置に達した状態で停止する。
一方、紙幣搬送手段２０の紙幣搬送ベルト２１は、図示せぬ搬送モータの駆動によって回転し続けるので、これにより、紙幣搬送ベルト２１の表面２１ａとサンドペーパー部４ａとが摺接することとなる。
このように紙幣搬送ベルト２１の表面２１ａとサンドペーパー部４ａとが摺接すると、紙幣搬送ベルト表面２１ａの硬化したゴムが削られ、これにより、紙幣搬送ベルト表面２１ａに埃等の汚れが付着している場合には、この汚れをを除去することができるから、埃等の汚れによって低下した紙幣搬送ベルト２１のグリップ力が回復する。
【００３９】
また、紙幣搬送ベルト表面２１ａの硬化したゴムが削られると、紙幣搬送ベルト表面には、柔らかな新しいゴムが露出する。この露出した新しいゴムは、硬化したゴムに比し、摩擦係数が高いので、このように紙幣搬送ベルト表面２１ａの硬化したゴムが削られると、ゴム硬化によって低下した紙幣搬送ベルト２１のグリップ力も回復する。
【００４０】
一方、紙幣搬送路１３の下流では、入口センサー３０によりグリップ力回復シート１の挿入が検出されてから該グリップ力回復シート１が所定時間内に通過したか否かが図示せぬ通過センサーによって判断され、グリップ力回復シート１が所定時間内に通過が検出されない場合には、グリップ力回復シート１が真券でないと判断される。
ここでは、グリップ力回復シート１は、サンドペーパー部４ａが紙幣搬送路１３の所定の位置に達した際、ストッパー部３が紙幣挿入口２７と係合して、シート材本体２の紙幣搬送路１３下流への移動は阻止されるから、図示せぬ通過センサーは、所定時間内にシート材の通過を検出することができず、グリップ力回復シート１は、真券以外（偽券）と判断される（図７のステップ１０３）。
【００４１】
すると、今度は図示せぬ搬送モータが逆転始動して（図７のステップ１０４）図５に示す紙幣搬送手段２０の搬送ベルト２１を反時計方向へ回転させて、搬送されたグリップ力回復シート１を返却する（図７のステップ１０５）。
なお、紙幣搬送路１３内を搬送するグリップ力回復シート１は、そのサンドペーパー部４ａの互いに離間する間隔のピッチが、紙幣搬送ベルト２１の配設ピッチと同一ピッチに設定されているから、グリップ力回復シート１が紙幣搬送路１３内に搬送される際、各サンドペーパー部４ａは、常に、各紙幣搬送ベルト２１と対向する位置を通過し、そのため、サンドペーパー部４ａが、上シュートおよび下シュート１２に配設されている図示せぬ識別センサー等に接触して該識別センサー等が損傷する虞は可及的に防止されている。
【００４２】
なお、図７のステップ１０３で前記通過センサーによって真券と判断されると、図示せぬスタッカー内に収容される等の通常の紙幣搬送処理が行われる（図７のステップ１０６）。
【００４３】
次に、クリーニング部５ａによって紙幣搬送ベルト２１のグリップ力を回復する手順について説明する。
【００４４】
クリーニング部５ａによって紙幣搬送ベルト２１のグリップ力を回復するには、紙幣挿入口２７から返却されたグリップ力回復シート１を、図５の矢印Ａで示すように、クリーニング部５ａを上方へ向けた姿勢で他方側２ｅから、紙幣搬送路１３内に挿入する。
すると、上述した図７のステップ１００からステップ１０２と同様の処理が行われ、グリップ力回復シート１は紙幣搬送ベルト２１の表面２１ａに配置されるとともに、回転する紙幣搬送ベルト２１のグリップ力によって紙幣搬送路１３内に搬送される。
【００４５】
そして、搬送されるグリップ力回復シート１のクリーニング部５ａが、図６で示すように、紙幣搬送路１３の所定の位置に達すると、その際、ストッパー部３が紙幣挿入口２７と係合し、これにより、シート材本体２の紙幣搬送路１３下流への移動は阻止され、グリップ力回復シート１は、クリーニング部５ａが紙幣搬送路１３の前記所定の位置に達した状態で停止する。
一方、紙幣搬送手段２０の紙幣搬送ベルト２１は、図示せぬ搬送モータの駆動によって回転し続けるので、これにより、紙幣搬送ベルト２１の表面２１ａとクリーニング部５ａとが摺接することとなる。
このように紙幣搬送ベルト２１の表面２１ａとクリーニング部５ａとが摺接すると、紙幣搬送ベルト２１の表面２１ａに、埃等の汚れやサンドペーパー部４ａによって削られた削り屑のゴムが付着している場合には、この汚れや削り屑のゴムがクリーニング部５ａに吸着される。
【００４６】
そのため、紙幣搬送ベルト表面２１ａから埃等の汚れが可及的に除去され、これにより埃等の汚れによって低下した紙幣搬送ベルト２１のグリップ力が回復するとともに、また、サンドペーパー部４ａによって削られた削り屑のゴムが紙幣搬送ベルト表面２１ａから可及的に除去されるので、この削り屑が紙幣搬送ベルト２１に付着することによって、紙幣搬送ベルト２１のグリップ力が低下する虞が可及的に防止される。
【００４７】
一方、紙幣搬送路１３の下流では、入り口センサー３０によりグリップ力回復シート１の挿入が検出されてから該グリップ力回復シート１が所定時間内に通過したか否かが図示せぬ通過センサーによって判断され、所定時間内に通過が検出されない場合には、グリップ力回復シート１が真券でないと判断される。
ここでは、グリップ力回復シート１は、クリーニング部５ａが紙幣搬送路１３の所定の位置に達した際、ストッパー部３が紙幣挿入口２７と係合して、シート材本体２の紙幣搬送路１３下流への移動は阻止されるから、図示せぬ通過センサは所定時間内にシート材の通過を検出することができず、グリップ力回復シート１は、真券以外（偽券）と判断される（図７のステップ１０３）。
すると、図示せぬ搬送モータが逆転始動して（図７のステップ１０４）、図５に示す紙幣搬送手段２０の搬送ベルト２１を反時計方向へ回転させて、搬送されたグリップ力回復シート１を返却する（図７のステップ１０５）。
なお、紙幣搬送路１３内に搬送されるグリップ力回復シート１は、そのクリーニング部５ａの互いに離間する間隔のピッチが、紙幣搬送ベルト２１の配設ピッチと同一ピッチに設定されているから、グリップ力回復シート１が紙幣搬送路１３内を搬送する際、各クリーニング部５ａは、常に、各紙幣搬送ベルト２１と対向する位置を通過し、そのため、クリーニング部５ａが、上シュート１１および下シュート１２に配設されている図示せぬ識別センサー等に接触して該識別センサー等が損傷する虞は可及的に防止されている。
【００４８】
なお、図７のステップ１０３で前記通過センサによって真券と判断されると、図示せぬスタッカー内に収容される等の通常の紙幣搬送処理が行われる（図７のステップ１０６）。
【００４９】
次に、このようなグリップ力回復動作を行うグリップ力回復シート１を分解する手順について説明する。図１のグリップ力回復シート１を分解するには、図４で示す第１の板状体７３を第１のシート７１、第２のシート７２および第２の板状体７４から離間する。すると、第２の板状体７４の突起８４と第１の板状体７３の凹部８３との嵌着がスナップアクションによって簡単に解除され、これにより、図３で示すように、第１のシート７１と第２のシート７２との連結を容易に解除することができる。その後、第２のシート７２との連結が解除された第１のシート７１を、第２のシート７２と第２の板状体７４とから離間し、さらに第２のシート７２を第２の板状体７４から離間すると、グリップ力回復シート１を分解することができる。
【００５０】
したがって、このグリップ力回復シート１では、サンドペーパー部４ａとクリーニング部５ａのうちサンドペーパー部４ａのみが使用によって消耗した場合には、使用していたグリップ力回復シート１を上述の分解手順で分解し、第１のシート７１に代え、別途用意した同一構成の新たな第１のシート７１を、前述した組み立て手順で、使用していた第２のシート７２と連結させればよく、これによりサンドペーパー部４ａを簡単に交換することができる。
【００５１】
また、サンドペーパー部４ａとクリーニング部５ａのうち、クリーニング部５ａのみが使用により消耗した場合には、使用していたグリップ力回復シート１を上述の分解手順で分解し、第２のシート７２に代え、新たなクリーニング部５ａが配設された同一構成の別の第２のシート７２を、前述した組み立て手順で、使用していた第１のシート７１と連結させればよく、これにより、クリーニング部５ａを簡単に交換することができる。
【００５２】
すなわち、この発明のグリップ力回復シート１では、サンドペーパー部４ａが配設された第１のシート７１と、クリーニング部５ａが配設された第２のシート７２とを連結手段８０を介し着脱自在に連結することとしたから、サンドペーパー部４ａとクリーニング部５ａのうちいずれか一方のみを交換することができ、また、その交換作業を簡単に行うことができる。したがって、グリップ力回復シート１を繰り返し使用することができ、紙幣搬送ベルト２１の保守点検作業を低コストで行うことができる。
また、このグリップ力回復シート１を繰り返し使用する場合、ストッパー部３を構成する第１、２の板状体７１、７２は常に繰り返し使用できるから、その分、紙幣搬送ベルト２１の保守点検作業を低コストで行うことができる。
また、そのようにサンドペーパー部４ａまたはクリーニング部５ａを交換する際には、上述のようにサンドペーパー部４ａが配設された第１のシート７１と、クリーニング部５ａが配設された第２のシート７２とを連結手段８０によって連結させたり、連結を解除したりすればよいので、従来のようにサンドペーパー４４または不織紙４５をシート材本体４２に形成された第１の切り込み部５２または第２の切り込み部５４に編み込むように嵌挿する等して交換作業を行なう場合（図９、１０）に比し、サンドペーパー部４ａやクリーニング部５ａの交換作業を簡単にすることができる。
また、この実施例のグリップ力回復シート１のように、第１のシート７１と第２のシート７２とを着脱自在に連結する連結手段８０を、第１の板状体７３に形成された凹部８３、第１のシート７１に形成された貫通孔８１、第２のシート７２に形成された貫通孔８２、および第２の板状体７４に形成された突起８４とから構成すると、第１のシート７１と第２のシート７２とを、第１の板状体７３と第２の板状体７４とで挟持することにより、貫通孔８１、８２を介し凹部８３と突起８４とを嵌着させることができ、また、第１の板状体７３を第１のシート７１、第２のシート７２および第２の板状体７４から離間することにより凹部８３と突起８４との嵌着を簡単に解除することができるから、第１のシート７１と第２のシート７２とを連結する作業、およびその連結を解除する作業が簡単となり、これにより、サンドペーパー４や不織紙５の交換作業をさらに簡単にすることができる。
【００５３】
また、この実施例のグリップ力回復シート１では、連結手段８０は、複数の凹部８３、複数の貫通孔８１、８２および複数の突起８４から構成されることとしたから、第１のシート７１と第２のシート７２の連結を一層強固できるとともに、連結の際の第１のシート７１と第２のシート７２の位置決めも確実に行うことができる。なお、この発明のグリップ力回復シートでは、連結手段８０を構成する凹部８３、貫通孔８１、８２および突起８４の数は、これに限定されず、少なくとも１つずつ配設されていればよい。
【００５４】
また、この実施例のグリップ力回復シート１では、連結手段８０は、ストッパー部３に形成された突起８４および凹部８３と、第１のシート７１に形成された貫通孔８１と、第２のシート７２に形成された貫通孔８２とから構成されることとしたが、この発明の連結手段８０はこれに限定されず、例えば、連結手段８０は、第１のシート７１に形成された凹部と第２のシート７２に形成された突起とからなり、第１のシート７１と第２のシート７２を直接連結するものであってもよい。
【００５５】
また、この実施例のグリップ力回復シート１では、第１のシート７１、第２のシート７２に、それぞれサンドペーパー部４ａ、クリーニング部５ａを２か所ずつ形成しているので、サンドペーパー部４ａまたはクリーニング部５ａを交換する際、２か所のサンドペーパー部４ａまたはクリーニング部５ａを一度に交換することができ、これにより、紙幣搬送ベルト２１の保守点検作業を簡単にすることができる。
また、この第１の実施例のグリップ力回復シート１では、サンドペーパー部４ａおよびクリーニング部５ａは、サンドペーパー４、不織紙５をそれぞれ第１のシート７１、第２のシート７２内に埋設して形成されているので、従来のようにサンドペーパー４４（図８）の端部４４ｂ、４４ｃ、４４ｄ、４４ｅまたは不織紙４５の端部４５ｂ、４５ｃ、４５ｄ、４５ｅがグリップ力回復シート４１の裏面に露出することによりめくれ、これによりグリップ力回復シート４１を紙幣搬送装置１０の紙幣挿入口２７に挿入する作業が困難となるという虞を可及的に防止することができる。
【００５６】
また、この実施例のグリップ力回復シート１では、ストッパー部３が、シート材本体２の板厚方向に突設されているから、紙幣搬送装置１０が自動販売機の扉から奥に配置されている場合にも、自動販売機内の所定位置で、シート材本体２の紙幣搬送路１３下流への移動を阻止し、上述のグリップ力回復動作を行なうことができるので、紙幣搬送装置１０が自動販売機の扉から奥に配置されているタイプの自動販売機には、有効である。
【００５７】
すなわち、自動販売機の扉側から、該扉の下流に位置する紙幣搬送装置１０に向け、グリップ力回復シート１を挿入した際には、挿入されたグリップ力回復シート１は、紙幣搬送装置１０に達するまで安定して自動販売機内に搬送され、ストッパー部３が紙幣搬送装置１０の紙幣挿入口２７に達した際には、紙幣挿入口２７に係合してシート材本体２の紙幣搬送路１３下流への移動を阻止してグリップ力回復動作をすることができる。
なお、この実施例のグリップ力回復シート１では、上述のようにストッパー部３は、シート材本体２の板厚方向に突設されることとしたが、この発明のグリップ力回復シートでは、ストッパー部３の突設方向はこれに限定されず、ストッパー部３は、シート材本体２のシート材幅方向両端２ａ、２ｂ（図１）に突設されていてもよい。
【００５８】
【発明の効果】
以上説明したように、この発明の紙幣搬送装置用グリップ力回復シートでは、シート材本体を連結手段を介し着脱自在に連結される第１のシートおよび第２のシートから構成し、第１のシートにサンドペーパー部を配設するとともに、第２のシートにクリーニング部を配設するようにしたから、連結手段を介し第１のシートと第２のシートとを連結させたり、その連結作業を解除させたりすることによって、簡単にサンドペーパー部またはクリーニング部を交換することができ、これにより、保守点検作業を極めて容易に行うことができ、また、紙幣グリップ力回復シートを繰り返し使用することができる。
【００５９】
したがって、この発明の紙幣搬送ベルト用のグリップ力回復シートによって、紙幣搬送ベルトのグリップ力を簡単に回復でき、紙幣搬送装置の紙幣の安定搬送が図られることとなる。
【図面の簡単な説明】
【図１】図１は、この発明に係わる紙幣搬送ベルトのグリップ力回復シートを示す平面図。
【図２】図２は、この発明に係わる紙幣搬送ベルトのグリップ力回復シートの組み立て分解平面図。
【図３】図３は、この発明に係わる紙幣搬送ベルトのグリップ力回復シートの組立分解断面図。
【図４】図４は、この発明に係わる紙幣搬送ベルトのグリップ力回復シートおよび紙幣搬送装置の要部概念断面図。
【図５】図５は、この発明に係わる紙幣搬送ベルトのグリップ力回復シートおよび紙幣搬送装置の概念断面図。
【図６】図６は、紙幣搬送装置を構成する下シュートの平面図で、この発明に係わる紙幣搬送ベルトのグリップ力回復シートの動作を示す概念図。
【図７】図７は、この発明に係わる紙幣搬送ベルトのグリップ力回復シートの処理手順を示すフローチャート。
【図８】図８は、従来の紙幣搬送ベルトのグリップ力回復シートの平面図。
【図９】図９は、従来の紙幣搬送ベルトのグリップ力回復シートの組立分解平面図。
【図１０】図１０は、図８のＢＢ概念断面図。
【図１１】図１１は、紙幣搬送装置を構成する下シュートの平面図で、従来の紙幣搬送ベルトのグリップ力回復シートの動作を示す概念図。
【符号の説明】
１…グリップ力回復シート
２…シート材本体
２ｃ…シート材本体の表面
２ｄ…一方側
２ｅ…他方側
３…ストッパー部
４ａ…サンドペーパー部
５ａ…クリーニング部
１０…紙幣搬送装置
１３…紙幣搬送路
２１…紙幣搬送ベルト
２１ａ…紙幣搬送ベルト表面
２７…紙幣挿入口
７１…第１のシート
７２…第２のシート
７３、７４…板状体
７３…一方の板状体
７４…他方の板状体
８０…連結手段
８１…第１のシートに形成された貫通孔
８２…第２のシートに形成された貫通孔
８３…凹部
８４…突起
【図１】
0003821997.tif 000002
【図２】
0003821997.tif 000003
【図３】
0003821997.tif 000004
【図４】
0003821997.tif 000005
【図５】
0003821997.tif 000006
【図６】
0003821997.tif 000007
【図７】
0003821997.tif 000008
【図８】
0003821997.tif 000009
【図９】
0003821997.tif 000010
【図１０】
0003821997.tif 000011
【図１１】
0003821997.tif 000012